(57)【要約】【課題】  混合された液体物品の情報管理方法とその装置の提供。【解決手段】  混合された液体物品の情報管理において、貯留容器へ受入液体物品が受入られる度に、当該受入液体物品情報が記憶される受入液体物品情報記憶手段と、一又は二以上繰返し受入て混合された貯留容器内の液体物品（混合液体物品）の全部又は一部を払い出す度に、当該混合液体物品を構成する受入液体物品毎の受入液体物品情報を、中央制御手段が前記受入液体物品情報記憶手段から遡及情報及び／又は追跡情報として取り出し混合液体物品情報として払出液体物品情報出力手段に出力させることを内容とする。【選択図】図１
2007220098.tif 000002
【特許請求の範囲】
【請求項１】
貯留容器と、
前記貯留容器に受入られる一又は二以上の受入液体物品と、
前記貯留容器内に受入られて当該貯留容器内において混合物状態で貯留される混合液体物品と、
前記混合液体物品の一部が、一回又は二回以上払出される液体物品とが、
繰返される情報管理方法において、
前記貯留容器へ受入液体物品が受入られる度に、所要の受入入力手段から入力される当該受入液体物品情報が記憶される受入液体物品情報記憶手段と、
前記混合液体物品を払い出す度に、所要の払出入力手段から入力される当該混合液体物品を構成する受入液体物品毎の受入液体物品情報を、前記受入液体物品情報記憶手段から遡及情報及び／又は追跡情報として取り出し混合液体物品情報として払出液体物品情報出力手段に出力させる中央制御手段を備えたことを特徴とする液体物品の情報管理方法。
【請求項２】
一次貯留容器と、
前記一次貯留容器に受入られる一又は二以上の一次受入液体物品と、
前記一次貯留容器内に受入られて当該一次貯留容器内において混合物状態で貯留される一次混合液体物品と、
前記一次混合液体物品の一部が一回又は二回以上二次貯留容器に受入られる二次受入液体物品と、
前記二次貯留容器内に受入られて当該二次貯留容器内において混合物状態で貯留される二次混合液体物品と、
当該二次混合液体物品の一部が一回又は二回以上払出される液体物品とが、
繰返される情報管理方法において、
前記一次貯留容器へ一次受入液体物品が受入られる度に、所要の受入入力手段から入力される当該一次受入液体物品情報が記憶される受入液体物品情報記憶手段と、
前記一次混合液体物品を払い出す度に、所要の払出入力手段から入力される当該一次混合液体物品を構成する一次受入液体物品毎の一次受入液体物品情報を前記受入液体物品情報記憶手段から取り出して、当該一次混合液体物品情報として払出液体物品情報出力手段に出力させると共に、
二次貯留容器に一次混合液体物品が受入られる度に、所要の受入入力手段から入力される当該一次混合液体物品を構成する一次受入液体物品情報が二次混合液体物品情報として記憶される前記受入液体物品情報記憶手段と、
前記二次混合液体物品を払い出す度に、所要の払出入力手段から入力される当該二次混合液体物品を構成する二次受入液体物品情報を前記受入液体物品情報記憶手段から遡及情報及び／又は追跡情報として取り出し当該二次混合液体物品情報として前記払出液体物品情報出力手段に出力させる中央制御手段とを備えたことを特徴とする液体物品の情報管理方法。
【請求項３】
ネットワークを介した電子商取引により液体物品を販売するシステムと中央制御手段とを接続すると共に、当該中央制御手段に接続された情報取得端末手段によって、混合液体物品情報が情報取得希望者に提供されることを特徴とする請求項1又は請求項２に記載の液体物品の情報管理方法。
【請求項４】
二以上の貯留容器と貯留容器との間に一又は二以上の輸送手段が介在するシステムにおいて、中央制御手段に接続された情報取得端末手段によって、一次以降の各次の貯留容器より各後次の全部又は一部の混合液体物品情が情報取得希望者に提供されることを特徴とする請求項1乃至請求項３の何れかに記載の液体物品の情報管理方法。
【請求項５】
受入液体物品は、輸送手段から貯留容器への一回又は一定期間の何れかの受入により特定される受入液体物品、又は、前記何れかの貯留容器への受入後の混合液体物品、の何れかであることを特徴とする請求項１乃至請求項４何れかに記載の液体物品の情報提管理法。
【請求項６】
受入液体物品や混合液体物品の液体物品情報は、原料製造者、原料製造国、原料由来農産物、製造年月日、製造期間、輸送手段特定情報、受入貯留容器番号、貯留容器受入年月日、払出貯留容器番号、貯留容器払出年月日、加工年月日、加工期間、記録媒体入力年月日、特定品質情報、混合物液体全体容量に対する液体物品容量の構成割合、の何れか一又二以上の情報及び／又は暗号情報であることを特徴する請求項１乃至請求項５の何れかに記載の液体物品の情報管理方法。
【請求項７】
輸送手段は、船舶、車両、加工後の貯留容器までの配管、一の貯留容器から他の貯留容器への配管、の何れかであることを特徴とする請求項４乃至請求項６の何れかに記載の液体物品の情報管理方法。
【請求項８】
前記払出液体物品情報出力手段から出力される混合液体物品情報は、払出される液体物品の構成要素となる一又は二以上の液体物品情報が、混合液体物品の各液体物品が均一に混合することを前提として混合物液体全体容量に対し液体物品容量の構成割合が０％から２０％の何れかの構成割合に減少するまで提供されるよう中央制御手段に制御されることを特徴とする請求項１乃至請求項７の何れかの液体物品の情報管理方法。
【請求項９】
貯留容器と、
前記貯留容器に受入られる一又は二以上の受入液体物品と、
前記貯留容器内に受入られて当該貯留容器内において混合物状態で貯留される混合液体物品と、
前記混合液体物品の一部が、払出される液体物品とが、
繰返される情報管理方法において、
前記貯留容器へ受入液体物品が受入られる度に、所要の受入入力手段から入力される当該受入液体物品情報が記憶される受入液体物品情報記憶手段と、
前記混合液体物品を払い出す度に、所要の払出入力手段から入力される当該混合液体物品を構成する受入液体物品毎の受入液体物品情報を、前記受入液体物品情報記憶手段から遡及情報及び／又は追跡情報として取り出し混合液体物品情報として払出液体物品情報出力手段に出力させる中央制御手段とを備えたことを特徴とする液体物品の情報管理装置。
【請求項１０】
一次貯留容器と、
前記一次貯留容器に受入られる一又は二以上の一次受入液体物品と、
前記一次貯留容器内に受入られて当該一次貯留容器内において混合物状態で貯留される一次混合液体物品と、
前記一次混合液体物品の一部が、一回又は二回以上二次貯留容器に受入られる二次受入液体物品と、
前記二次貯留容器内に受入られて当該二次貯留容器内において混合物状態で貯留される二次混合液体物品と、
当該二次混合液体物品の一部が一回又は二回以上払出される液体物品とが、
繰返される情報管理方法において、
前記一次貯留容器へ一次受入液体物品が受入られる度に、所要の受入入力手段から入力される当該一次受入液体物品情報が記憶される受入液体物品情報記憶手段と、
前記一次混合液体物品を払い出す度に、所要の払出入力手段から入力される当該一次混合液体物品を構成する一次受入液体物品毎の一次受入液体物品情報を前記受入液体物品情報記憶手段から取り出して、当該一次混合液体物品情報として出力させる払出液体物品情報出力手段と、
二次貯留容器に一次混合液体物品が受入られる度に、所要の受入入力手段から入力される当該一次混合液体物品を構成する一次受入液体物品情報が二次混合液体物品情報として記憶される前記受入液体物品情報記憶手段と、
前記二次混合液体物品を払い出す度に、所要の払出入力手段から入力される当該二次混合液体物品を構成する二次受入液体物品情報を前記受入液体物品情報記憶手段から遡及情報及び／又は追跡情報として取り出し当該二次混合液体物品情報として前記払出液体物品情報出力手段に出力させる中央制御手段とを備えたことを特徴とする液体物品の情報管理装置。
【発明の詳細な説明】
【技術分野】
【０００１】
本発明は、複数の液体物品の混合物に係る液体物品の情報管理方法とその液体物品の情報管理装置とに関する。
【背景技術】
【０００２】
物品製造業者、物品輸送業者、又は物品販売業者が、物品ロットに係る各種情報、例えば、当該物品の生産から消費に至までの履歴が追跡的に得られる追跡情報や遡及的に得られる遡及情報等が譲受人等の情報取得希望者に提供する行為は従来から存在するが、それらは固体物品ロットに係る物品情報であった。
【０００３】
即ち、固体物品ロットに係る上記のような各種情報として、例えば製造者、製造国、製造由来農産物、製造年月日、製造期間、輸送手段特定情報、貯槽受入年月日、貯槽払出年月日、加工年月日、加工期間、記録媒体入力年月日、特定品質情報等があるが、これらの各種情報の何れかの同一性によりロット管理を行うことが固体であるがゆえに比較的容易であり、当該ロット管理を基礎としてトレーサビリティーシステム等が確立している。
【発明の開示】
【発明が解決しようとする課題】
【０００４】
液体物品については、輸送手段から貯留容器への一回又は一定期間の何れかの受入により特定される液体物品により物品管理を行う場合、通常先入先出法又は貯留容器全量払出法によって管理されることが一般的であった。
【０００５】
しかし、通常、液体貯留槽等の貯留容器は複数の受入毎に特定される液体物品の混合物を貯蔵することとなるため、先入先出法では貯留容器払出による液体物品に係る各種情報として、例えば製造者、製造国、製造由来農産物、製造年月日、製造期間、輸送手段特定情報、貯留容器受入年月日、貯留容器払出年月日、加工年月日、加工期間、記録媒体入力年月日、特定品質情報等の実際に払出した液体物品情報として情報取得希望者が希望する液体物品情報を提供することが極めて困難であった。
【０００６】
即ち、複数の受入毎に特定される液体物品は貯留容器内で混合してしまうため、先入先出法による液体物品情報では、混合された液体物品物性を勘案した情報提供とはならず、結果として、情報取得希望者が希望する混合液体物品情報を管理し提供することが困難であった。
【０００７】
一方、全量払出法による液体物品管理においては、複数の受入毎に特定される液体物品から構成される混合液体物品の各種情報の提供が比較的容易に可能であるが、貯留容器の利用に著しい制限があるため、貯留容器への液体物品の受入と払出とを頻繁に繰り返す貯留容器の利用形態では全量払出法は適用できない。
【０００８】
つまり、商業規模で液体物品を貯槽等の貯留容器で頻繁に受入及び払出を繰返す状況において、複数の受入毎に特定される液体物品が貯留容器により混合物となる場合、当該混合物は液体であるがゆえに貯槽において受入毎に特定される液体物品間に明確な境界層が存在せず、即ち複数の受入毎に特定される液体物品が相当程度混ざり合ってしまうため、先入先出法により液体物品に係る各種情報を情報取得希望者に提供しても、前述のとおり実態と乖離した液体物品情報を提供することになるので、混合される液体物品においては効果的なトレーサビリティーシステムの確立は困難であった。
【０００９】
又、貯留容器全量払出法では、貯留容器の利用が著しく制限されるため、物流管理上のロスが大きく、工業的大量生産を対象とする液体物品において利用することは困難である。
【００１０】
かかる状況において、受入毎に特定される液体物品が混合しても有意義な液体物品情報の提供が可能な情報管理方法やその装置の開発が望まれていた。尚、以下において「受入毎に特定される液体物品」を「液体ロット」若しくは「受入液体物品」ともいう。
【課題を解決するための手段】
【００１１】
そこで、発明者らは、液体物品の物性（液体物品間の混合）を勘案し、液体物品における貯留容器払出に際し、情報取得希望者が必要とする混合された液体物品に関する情報を管理して提供する情報管理方法及び装置の提供を鋭意検討し、本発明を完成するに至った。
【００１２】
請求項１の液体物品の情報管理方法の発明は、貯留容器と、
前記貯留容器に受入られる一又は二以上の受入液体物品と、
前記貯留容器内に受入られて当該貯留容器内において混合物状態で貯留される混合液体物品と、
前記混合液体物品の一部が、一回又は二回以上払出される液体物品とが、
繰返される情報管理方法において、
前記貯留容器へ受入液体物品が受入られる度に、所要の受入入力手段から入力される当該受入液体物品情報が記憶される受入液体物品情報記憶手段と、
前記混合液体物品を払い出す度に、所要の払出入力手段から入力される当該混合液体物品を構成する受入液体物品毎の受入液体物品情報を、前記受入液体物品情報記憶手段から遡及情報及び／又は追跡情報として取り出し混合液体物品情報として払出液体物品情報出力手段に出力させる中央制御手段を備えたことを特徴とする。
【００１３】
請求項２の液体物品の情報管理方法の発明は、一次貯留容器と、
前記一次貯留容器に受入られる一又は二以上の一次受入液体物品と、
前記一次貯留容器内に受入られて当該一次貯留容器内において混合物状態で貯留される一次混合液体物品と、
前記一次混合液体物品の一部が、一回又は二回以上二次貯留容器に受入られる二次受入液体物品と、
前記二次貯留容器内に受入られて当該二次貯留容器内において混合物状態で貯留される二次混合液体物品と、
当該二次混合液体物品の一部が一回又は二回以上払出される液体物品とが、
繰返される情報管理方法において、
前記一次貯留容器へ一次受入液体物品が受入られる度に、所要の受入入力手段から入力される当該一次受入液体物品情報が記憶される受入液体物品情報記憶手段と、
前記一次混合液体物品を払い出す度に、所要の払出入力手段から入力される当該一次混合液体物品を構成する一次受入液体物品毎の一次受入液体物品情報を前記受入液体物品情報記憶手段から取り出して、当該一次混合液体物品情報として払出液体物品情報出力手段に出力させると共に、
二次貯留容器に一次混合液体物品が受入られる度に、所要の受入入力手段から入力される当該一次混合液体物品を構成する一次受入液体物品情報が二次混合液体物品情報として記憶される前記受入液体物品情報記憶手段と、
前記二次混合液体物品を払い出す度に、所要の払出入力手段から入力される当該二次混合液体物品を構成する二次受入液体物品情報を前記受入液体物品情報記憶手段から遡及情報及び／又は追跡情報として取り出し当該二次混合液体物品情報として前記払出液体物品情報出力手段に出力させる中央制御手段とを備えたことを特徴とする。
【００１４】
請求項３の発明は、請求項1又は請求項２に記載の液体物品の情報管理方法において、ネットワークを介した電子商取引により液体物品を販売するシステムと中央制御手段とを接続すると共に、当該中央制御手段に接続された情報取得端末手段によって、混合液体物品情報が情報取得希望者に提供されることを特徴とする。
【００１５】
請求項４の発明は、請求項1乃至請求項３の何れかに記載の液体物品の情報管理方法において、二以上の貯留容器と貯留容器との間に一又は二以上の輸送手段が介在するシステムにおいて、中央制御手段に接続された情報取得端末手段によって、一次以降の各次の貯留容器より各後次の全部又は一部の混合液体物品情が情報取得希望者に提供されることを特徴とする。
【００１６】
請求項５の発明は、請求項１乃至請求項４何れかに記載の液体物品の情報提管理法において、受入液体物品は、輸送手段から貯留容器への一回又は一定期間の何れかの受入により特定される受入液体物品、又は、前記何れかの貯留容器への受入後の混合液体物品、の何れかであることを特徴とする。
【００１７】
請求項６の発明は、請求項１乃至請求項５の何れかに記載の液体物品の情報管理方法において、受入液体物品や混合液体物品の液体物品情報は、原料製造者、原料製造国、原料由来農産物、製造年月日、製造期間、輸送手段特定情報、受入貯留容器番号、貯留容器受入年月日、払出貯留容器番号、貯留容器払出年月日、加工年月日、加工期間、記録媒体入力年月日、特定品質情報、混合物液体全体容量に対する液体物品容量の構成割合、の何れか一又二以上の情報及び／又は暗号情報であることを特徴する。
【００１８】
請求項７の発明は、請求項４乃至請求項６の何れかに記載の液体物品の情報管理方法において、輸送手段は、船舶、車両、加工後の貯留容器までの配管、一の貯留容器から他の貯留容器への配管、の何れかであることを特徴とする。
【００１９】
請求項８の発明は、請求項１乃至請求項７の何れかの液体物品の情報管理方法において、前記払出液体物品情報出力手段から出力される混合液体物品情報は、払出される液体物品の構成要素となる一又は二以上の液体物品情報が、混合液体物品の各液体物品が均一に混合することを前提として混合物液体全体容量に対し液体物品容量の構成割合が０％から２０％の何れかの構成割合に減少するまで提供されるよう中央制御手段に制御されることを特徴とする。
【００２０】
請求項９の液体物品の情報管理装置の発明は、貯留容器と、
前記貯留容器に受入られる一又は二以上の受入液体物品と、
前記貯留容器内に受入られて当該貯留容器内において混合物状態で貯留される混合液体物品と、
前記混合液体物品の一部が、払出される液体物品とが、
繰返される情報管理方法において、
前記貯留容器へ受入液体物品が受入られる度に、所要の受入入力手段から入力される当該受入液体物品情報が記憶される受入液体物品情報記憶手段と、
前記混合液体物品を払い出す度に、所要の払出入力手段から入力される当該混合液体物品を構成する受入液体物品毎の受入液体物品情報を、前記受入液体物品情報記憶手段から遡及情報及び／又は追跡情報として取り出し混合液体物品情報として払出液体物品情報出力手段に出力させる中央制御手段とを備えたことを特徴とする。
【００２１】
請求項１０の液体物品の情報管理装置の発明は一次貯留容器と、
前記一次貯留容器に受入られる一又は二以上の一次受入液体物品と、
前記一次貯留容器内に受入られて当該一次貯留容器内において混合物状態で貯留される一次混合液体物品と、
前記一次混合液体物品の一部が、一回又は二回以上二次貯留容器に受入られる二次受入液体物品と、
前記二次貯留容器内に受入られて当該二次貯留容器内において混合物状態で貯留される二次混合液体物品と、
当該二次混合液体物品の一部が一回又は二回以上払出される液体物品とが、
繰返される情報管理方法において、
前記一次貯留容器へ一次受入液体物品が受入られる度に、所要の受入入力手段から入力される当該一次受入液体物品情報が記憶される受入液体物品情報記憶手段と、
前記一次混合液体物品を払い出す度に、所要の払出入力手段から入力される当該一次混合液体物品を構成する一次受入液体物品毎の一次受入液体物品情報を前記受入液体物品情報記憶手段から取り出して、当該一次混合液体物品情報として出力させる払出液体物品情報出力手段と、
二次貯留容器に一次混合液体物品が受入られる度に、所要の受入入力手段から入力される当該一次混合液体物品を構成する一次受入液体物品情報が二次混合液体物品情報として記憶される前記受入液体物品情報記憶手段と、
前記二次混合液体物品を払い出す度に、所要の払出入力手段から入力される当該二次混合液体物品を構成する二次受入液体物品情報を前記受入液体物品情報記憶手段から遡及情報及び／又は追跡情報として取り出し当該二次混合液体物品情報として前記払出液体物品情報出力手段に出力させる中央制御手段とを備えたことを特徴とする。
【発明の効果】
【００２２】
請求項1乃至請求項１０の各発明によれば、何れも、混合液体物品に関する各種の情報やこれらの追跡情報や遡及情報を適格に管理し、提供することができるので、液体物品に対応した効果的なトレーサビリティーシステムを構築し、提供することができる。
【００２３】
請求項３の発明によれば、本液体物品情報をデータベース化するとともに、当該データベースに情報取得希望者の出力手段と電気通信回線等の提供手段を付加し、いわゆるネットワークを介した電子商取引により液体物品を販売するシステムにおいて、混合液体物品情報を情報取得希望者にリアルタイムで提供することができる。
【発明を実施するための最良の形態】
【００２４】
本発明の最良の実施形態として、比較的取扱量が多い工業用の液体物品として例えばエタノールの情報管理システムを、貯留容器において液体ロットの受入、及び当該液体容器において混合された一又は二以上の液体ロット即ち混合液体物品の一部の払出が繰返し実行される場における液体物品の情報管理システムを例にして、以下図１乃至図４に基づいて説明する。
【００２５】
図１は液体ロットの構成を示すフロー図、図２は液体物品情報管理装置のブロック図、図３は入力画面又は確定付与識別番号を表1として表した図、図４は出力画面を表２として表した図である。
【実施例１】
【００２６】
図１の構成フロー図において、１は輸送手段としての例えば船舶１である。輸送手段としては、船舶１に限らず、車両や加工後の貯留容器までの配管や、一の貯留容器から他の貯留容器への配管等、の何れかであってよい。
尚、この実施例では貯留容器とは貯留槽をいうが、貯留槽に限らず、適当な容器、例えば、コンテナ貯留容器、ドラム缶等液体物品を一次的に貯蔵可能な手段であればよい。
【００２７】
図示の例では、船舶１により国内外の原料産地から輸送されてきた一次液体物品１１を原料貯槽としての一次貯留容器２−１に受入れる。
この場合、工場は通常連続的な原料液体物品の加工により連続的に製品液体物品が生産されるため、通常、この原料貯槽（一次貯留容器）２−１には、一又は二以上の受入毎に特定される液体物品即ち受入液体物品が、いわゆる在庫として存在しており、以下、この在庫を一次液体ロット１２ともいう。
【００２８】
一次液体ロット（液体物品即ち受入液体物品）１１を原料貯槽（一次貯留容器）２−１に受入れると、在庫の一次液体ロット１２と混合し、混合物である一次液体ロット（混合液体物品）１３となる。
【００２９】
この受入の際、原料貯槽２−１からの払出しに係る一次液体ロット１３の遡及情報として一次液体ロット１１（その前段階の船舶１に係る液体物品情報を含む）と一次液体ロット１２とが構成要素となる混合液体物品情報の提供を可能とするため次のように手段を構成している。
【００３０】
この実施例では、原料貯槽としての一次貯留容器２−１と、この一次貯留容器２−１に受入られる一又は二以上の一次受入液体物品としての一次液体ロット１１と、前記貯留容器２−１内に受入られて当該貯留容器２−１内において混合物状態で貯留される一次混合液体物品１３と、この一次混合液体物品１３の一部が、一回又は二回以上繰返し受入られ或は払出される液体物品（エタノール）の情報管理方法、及び前記一次混合液体物品の一部が一回又は二回以上二次貯留容器に受入られる二次受入液体物品と、前記二次貯留容器内に受入られて当該二次貯留容器内において混合物状態で貯留される二次混合液体物品と、当該二次混合液体物品の一部が一回又は二回以上払出される液体物品とが、繰返される情報管理方法が前提である。
【００３１】
尚、混合液体物品１３の一部が一回又は二回以上繰返し受入られ或は払出される場合というのは、例えば、一又は二以上の液体物品の貯留容器への受入と、二以上の液体ロットで構成される混合液体物品の全部又は一部の貯留容器からの一回又は二回以上の払出とが繰返し行われる場合や、一又は二以上の液体ロットを一の貯留容器に受入、その後に二以上の液体ロットで構成される混合液体物品の全部又は一部をその貯留容器から一回又は二回以上払出すことが繰返し行われる場をいい、このような場合は、工業用液体物品の物品受払においては通常一般的な行為である。
【００３２】
さて、上記のような情報管理システム即ち情報管理方法或は装置において、貯留容器２−１へ受入液体物品（一次液体ロット）１１が受入られる度に、図２に示す、所要の受入入力手段４０から、手入力或はその他の適宜な手段にて、当該受入液体物品１１の物品情報が入力されて中央制御装手段（図示せず）の受入液体物品情報記憶手段５０に記憶されるようシステムを構成する。
【００３３】
そして、前記の混合液体物品１３を払い出す度に、入力手段としての例えば図２に示す所要の払出入力手段４０(この実施例では、受入及び払出入力手段が兼用されている）を介して手入力或はその他の適宜な手段にて、払出される当該混合液体物品１３を構成する受入液体物品毎の受入液体物品情報（一次液体ロット１１）が、前記の受入液体物品情報記憶手段５０から、遡及情報及び／又は追跡情報として中央制御手段（図示せず）が取り出し、混合液体物品１３の物品情報（混合液体物品情報）として、出力手段としての例えば図２に示す払出液体物品情報出力手段６０により出力されるシステムを構成する。
【００３４】
即ち、図２に示す液体物品情報管理装置は、液体ロットの貯槽への受入毎に、受入れられる液体ロットの一又は二以上の液体物品情報を記録するための入力手段４０と記録媒体５０とを備えており、貯留容器からの払出しに係る混合液体物品の遡及のため又は追跡のため、入力及び／又は記録された液体ロット（混合液体物品）の一又は二以上の液体物品情報が構成要素となる混合液体物品情報が中央制御装置の指令に応じて記録媒体５０から出力手段６０へ出力される構成とされており、この装置によって、後述するように、図３の表１及び図４の表２に記載された液体物品の情報管理方法が具体的に実現される。
【００３５】
上記のシステムを、液体物品が混合される各段階即ち数次にわたる受入及び／又は払出毎に設定しておくことによって、例えば、図１において、原料貯槽２−１からの払出しに係る一次液体ロット１３の追跡情報として二次液体ロット２１、二次液体ロット２３、三次液体ロット３１及び三次液体ロット３３が構成要素となる液体物品情報を提供することが可能となる。
即ち、情報取得希望者は、混合液体物品１３の情報である混合液体物品情報を、情報取得端末手段としての例えば図２に示す払出液体物品情報出力手段６０により取得できる。
【００３６】
又、作業都合上、原料貯槽２−１の在庫量を減少させる必要がある場合、原料貯槽２−１の混合物である一次液体ロット１３の一部を液体ロット１４として原料貯槽２−２に移送し、既に原料貯槽２−２に存在する在庫である一次液体ロット１５と混合し、新たな混合物である一次液体ロット１６が生じる場合も考えられる。
【００３７】
更に、原料貯槽２−１の一次液体ロット１３（図示していないが混合物１６も同様）を、加工手段３（例えば、蒸留、濾過、加熱、冷却、成分吸着、液体物品以外の物品添加、触媒反応等の工程手段）を経て、その後、輸送手段である配管４を介して製品貯槽５（二次貯留容器）に二次液体ロット２１として受入れる場合もある。
この場合、工場は通常連続的な製品液体物品の販売のために製品在庫を保有しておく必要があり、製品貯槽５には一又は二以上の液体ロッと、いわゆる在庫として存在しており、当該在庫を二次液体ロット２２とする。
【００３８】
二次液体ロット２１を製品貯槽５に受入れると、在庫の二次液体ロット２２と混合し、新たな混合物である二次液体ロット２３となる。
この場合、製品貯槽５からの払出しに係る二次液体ロット２３の遡及情報として二次液体ロット２１、二次液ロット２２、一次液体ロット１３、一次液体ロット１１（その前段階の船舶１に係る液体物品情報を含む）及び一次液体ロット１２が構成要素となる混合液体物品情報を提供することも可能となる。
一方、製品貯槽５からの払出しに係る二次液体ロット２３の追跡情報として三次液体ロット３１及び三次液体ロット３３が構成要素となる混合液体物品情報を提供することも可能となる。
【００３９】
上記のように数次にわたって混合される混合物液体の物品情報（混合物液体の物品情報）の提供を可能とするためのシステムは次のような構成となる。
【００４０】
前次におけるシステムとしては、先ず、図２で先に説明したように、一次貯留容器へ一次受入液体物品が受入られる度に、入力手段４０により当該一次受入液体物品情報が記憶される受入液体物品情報記憶手段５０と、一次混合液体物品を払い出す度に、一次混合液体物品を構成する一次受入液体物品毎の一次受入液体物品情報を受入液体物品情報記憶手段から取り出して、一次混合液体物品情報として払出液体物品情報出力手段６０に出力させるよう構成すると共に、二次貯留容器に一次混合液体物品が受入られる度に、入力手段４０により一次混合液体物品を構成する一次受入液体物品情報が二次混合液体物品情報として記憶される前記受入液体物品情報記憶手段５０と、二次混合液体物品を払い出す度に、二次混合液体物品を構成する二次受入液体物品情報を前記受入液体物品情報記憶手段５０から遡及情報及び／又は追跡情報として取り出し当該二次混合液体物品情報として前記払出液体物品情報出力手段６０に出力させる中央制御手段（図示せず）と設けたシステムとする。
【００４１】
尚、製品貯槽５の二次液体ロット２３を、輸送手段として車両６を経て移送先貯槽７（三次貯留容器）に三次液体ロット３１として受入れる場合もある。
この場合、移送先貯槽７の保有者は通常連続的な製品液体物品の販売のため、又は一定量使用のため在庫を保有しておく必要があり、移送先貯槽７には一又は二以上の液体ロット、いわゆる在庫として存在しており、当該在庫を三次液体ロット３２とする。
【００４２】
三次液体ロット３１を製品貯槽７に受入れると、在庫の三次液体ロット３２と混合し、新たな混合物である三次液体ロット３３となる。
この場合、移送先貯槽７からの払出しに係る三次液体物品ロット３３の遡及情報として、三次液体ロット３１、三次液体ロット３２、二次液体ロット２３、二次液体ロット２１、二次液体ロット２２、一次液体ロット１３、一次液体ロット１１（その前段階の船舶１に係る液体物品情報を含む）及び一次液体ロット１２が構成要素となる混合液体物品情報を提供することも可能となる。
【００４３】
尚、上記実施例の液体物品の情報管理システムは、上記の通りであるが、図１においては代表的なケースを例示したにすぎず、更なる輸送手段を介すれば四次液体ロットや５次液体ロットも発生するが、それらは本発明の想定範囲内の一態様であり、バリエーションも無限大に存在するため、説明は省略する。
【００４４】
又、上記実施例において、上記の情報取得希望者とは、混合液体物品情報を欲する者であり、液体物品の譲渡人、譲受人、その他の利害関係者の何れかを含む。
【００４５】
又、上記実施例において、液体物品が輸送や加工後の輸送により別の貯留容器に輸送されることが液体物品の現実の物流では多々あり、そのような幾次にもわたる液体物品の情報（履歴）が、混合液体物品情報として幾次にも体系的に累積させた集合体としてシステムが管理することにより、情報取得希望者が所望する情報を、いわゆるトレースバックやトレースフォワード情報として迅速且つ容易に提供できる。
【００４６】
又、上記実施例において、液体ロットとして、輸送手段から貯留容器への一回又は一定期間の何れかの受入により特定される液体物品とは、輸送手段が船舶や車両の場合は、その荷液体の貯留容器全体又は個別貯留容器（いわゆるハッチ）毎で区分される液体物品を貯留容器に一回又は一定期間の何れかの受入により特定される液体物品が液体ロットとなる。
【００４７】
又、輸送手段が加工後の貯留容器までの配管、一又は二以上の貯留容器から他の一又は二以上の貯留容器への配管、の何れかの場合は、それらの配管を介して貯留容器に一回又は一定期間に何れかの受入により特定される液体物品が液体ロットとなる。
この場合「一回」とは、原則、貯留容器への受入を開始して終了するまでとするが、仮に途中で作業都合上受入を中止し、再度中止前と同一の輸送手段の液体物品の受入を再開してその後終了する場合は、実質的に一回であるため、「一回」とみなすこととする。
【００４８】
又、上記実施例において、中央制御装置が、混合物液体全体容量に対し或る液体ロット容量の構成割合が０％から２０％の間の何れかの一定値に設定された値にまで、その構成割合が減少したと判断されるまで、液体ロットの物品情報（混合液体情報）を提供する。
【００４９】
これは、前記のような均一混合前提において、受入前の貯留容器に受入液体ロットと同容量の在庫がある場合、当該受入ロットの貯留容器受入後の混合物全体に対する構成割合は５０％となるが、その後前記均一混合前提においては、その構成割合が、新たな受入液体ロットにより徐々に減少することになる。
例えば、前記前提で、構成割合が５０％である混合物の半分の容量を貯留容器より払出すことによっては当該受入ロットの混合割合は減少しないが、その後、新たな受入液体ロットとして貯留容器のその時点の在庫と同容量の受入た場合、元の当該受入ロットの貯留容器内での構成割合は２５％に減少する。
【００５０】
このように、貯留容器内での液体ロットの受入と払出しを繰返し行う場合、貯留容器内での特定の液体ロットは必然的に減少することとなるから、最終的に、構成割合が０％から２０％（好適には０．１％から５％）の何れかの構成割合に減少するまで、当該液体ロットに係る液体物品情報を提供させる。つまり、工業的な取り扱いがなされる液体物品の用途その他の特徴を勘案し、情報提供可能な個々の液体ロットの構成割合を１０％、５％、３％、１％、０．１％のように決定することにより、有用範囲（遡及又は追跡で妥当な範囲の液体物品上方の範囲）な液体物品情報を情報取得希望者に提供することを可能としている。
【００５１】
再び、図１の液体ロットの構成フローに基づいて、具体的な液体物品の情報管理方法がどうのように実現されるかを図３の表１及び図４の表２に示す。
つまり、ネットワークを介した電子商取引により液体物品を販売する場合に、混合液体物品情報を情報取得希望者へ提供するための液体物品管理方法の構成手段である入力及び出力の概要を記載した。
【００５２】
表１及び表２の各太枠内は各液体ロットのネットワークを介した電子商取引より液体物品を販売するための液体物品情報管理装置の入力画面又は出力画面に相当するものである。
【００５３】
表１の入力画面では、識別番号である貯槽（貯留容器）への受入毎に液体物品に係る貯槽場所Ｎｏ、次数、貯槽Ｎｏ（受入貯留容器番号）、入力年月日（識別性を担保するためにここでは入力年月日を利用するが、その他の識別力がある暗号を用いることもできる）を入力し、更にその他の液体物品情報として、原料製造者、原料製造国、原料製造由来農産物、製造年月日、製造期間、輸送手段特定情報、貯留容器受入年月日、払出貯留容器番号、貯留容器払出年月日、加工年月日、加工期間、記録媒体入力年月日、特定品質情報、混合物に対する液体ロットの構成割合の何れか１又は２以上の物品情報及び／又はそれらの物品情報の暗号を、その他液体物品情報の欄に記載し、入力は完了する。
【００５４】
次に、この入力の完了を確定した場合に、受入後の混合物である液体ロットの識別番号として、貯槽場所Ｎo.次数貯槽Ｎo.（受入貯留容器番号）及びＭＩＸ（識別性を担保するためにここではＭＩＸと表示するが、その他の識別力がある暗号を用いることもできる）が、液体物品情報管理装置の中央制御手段に内蔵されたプログラムにより付与されることになる。尚、受入後の混合液体物品である液体ロットに係るその他の液体物品情報については前記同様に入力画面よりその情報を入力することができる。
【００５５】
図２の表２の出力画面では、前記付与された受入後の液体ロットの識別番号の識別番号を入力すると、トレースバック（以下、「ＴＢ」とする）及び、トレースフォワード（以下、「ＴＦ」とする）の一覧表が表示（各太枠内）され、更にＴＢ又、はＴＦの何れか、一又は二以上の液体ロットを選択すると、選択した一又は二以上の液体ロットに該当する入力画面の情報が液体物品情報管理装置の中央制御手段に内蔵されたプログラムにより表示されることとなる。
【００５６】
次に、液体物品情報のいくつかの物について説明する。
原料由来農産物とは、例えば液体物品が農産物を原料にして生産される場合、液体物品の安定同位体比質量分析計のような分析機器により測定し、その測定結果より液体物品の原料である農産物を特定することができ、特定された当該農産物を原料由来農産物という。
【００５７】
輸送手段特定情報とは、輸送手段の種類（船舶、車両、加工後の貯留容器までの配管、一の貯留容器から他の一の貯留容器への配管の何れか）、その他輸送手段より特定される情報をいう。
【００５８】
特定品質情報とは、液体ロットの品質に係る情報であり、各種分析器又は手分析により特定される液体ロットの品質に係る情報をいう。
【００５９】
混合物に対する液体ロットの構成割合については、特定液体ロットの構成割合が５０％である混合物の半分の容量を貯留容器より払出すことによって、当該受入ロットの混合割合は減少しないが、その後、新たな受入液体ロットとしての貯留容器のその時点の在庫と同容量を受入た場合、元の特定の受入ロットの貯留容器内での構成割合は２５％に減少する。
更に、混合物の半分の容量を貯留容器より払出し、その後新たな受入液体ロットとして貯留容器のその時点の在庫と同容量を受入れた場合、元の特定の受入ロットの貯留容器内での構成割合は１２．５％に減少する。
【００６０】
このように、貯留容器での受払を繰り返すことにより、特定の液体ロットの構成割合は徐々に減少することになるが、このような液体ロットの構成割合の変化は液体物品情報管理装置の中央制御手段に内蔵されたプログラムにより算出され、出力画面から特定の液体ロットを選択した場合に、前記算出された構成割合が表示されあることとなる。
尚、予め液体物品情報を、例えば構成割合１％まで出力させることを前記プログラムに設定しておけば、全ての液体ロットについて各々構成割合が１％になるまで入力画面に相当する情報を表示することが可能となる。
【００６１】
又、図３の表１の在庫である液体ロット１２、２２、３２は、通常混合物（複数の受入に係る液体ロットの混合液体物品）であるため、混合物（混合液体物品）である液体ロット１３、２３、３３と同様に識別番号（貯槽場所Ｎo.、次数、貯槽Ｎo.、年月日、ＭＩＸ）が、液体物品情報管理装置の中央制御手段に内臓されたプログラムにより付与されることとなる。
【００６２】
更に、図４の表２において、通常混合物である液体ロット１２、２２、３２を選択した場合は、当該各液体ロット（即ち、液体ロット１２、２２、３２）の液体物品情報のみだけでなく、その混合物を構成する液体ロットの液体物品情報も、ＴＢ又はＴＦとして、液体物品情報管理装置の中央制御装置に内蔵されたプログラムにより表示されることとなる。
【００６３】
尚、情報取得希望者は、前記出力画面にアクセスすることにより、希望する網羅性の或る情報をリアルタイムで取得することが可能となる。
【００６４】
図２に示す液体物品情報管理装置は、液体ロットの貯槽への受入毎に、受入れられる液体ロットの一又は二以上の液体物品情報を記録するための入力手段４０と記録媒体５０とを備えており、貯留容器からの払出しに係る混合液体物品の遡及のため又は追跡のため、入力及び／又は記録された液体ロット（混合液体物品）の一又は二以上の液体物品情報が構成要素となる混合液体物品情報が中央制御装置の指令に応じて記録媒体５０から出力手段６０へ出力される。
【００６５】
以上のような、入力手段４０、記録手段５０、出力手段６０から構成される液体物品情報管理装置により、図３の表１及び図４の表２に記載された液体物品の情報管理方法が具体的に実現される。
【産業上の利用可能性】
【００６６】
本発明の液体物品の情報管理方法及び液体物品情報管理装置により、従来液体物品での液体ロットの混合物に係る混合液体物品情報の提供が困難であった状況が大きく改善され、液体物品の譲渡人、譲受人及びその他の利害関係者が欲する当該情報を提供することが可能となったため、混合液体を取り扱う分野において広く適用することができる。
【図面の簡単な説明】
【００６７】
【図１】図１は液体ロットの構成フロー図である。
【図２】図２は液体物品情報管理装置の概念図である。
【図３】図３は入力画面又は確定付与識別番号を表1として表した図である。
【図４】図４は出力画面を表２として表した図である。
【符号の説明】
【００６８】
１      船舶
２−１  原料貯槽（一次貯留容器）
２−２  原料貯槽（一次貯留容器）
３      加工手段
４      配管（輸送手段）
５      製品貯槽（二次貯留容器）
６      車両（輸送手段）
７      移送先貯槽（三次貯留容器）
１１    一次液体ロット（受入）
１２    一次液体ロット（在庫）
１３    一次液体ロット（混合物）
２１    二次液体ロット（受入）
２２    二次液体ロット（在庫）
２３    二次液体ロット（混合物）
４０    入力手段
５０    記録媒体
６０    出力手段
【図１】
2007220098.tif 000003
【図２】
2007220098.tif 000004
【図３】
2007220098.tif 000005
【図４】
2007220098.tif 000006